(57)【要約】【課題】厚い原稿を読み取る場合でも、照明光の外部への漏れが抑制された画像読取装置を得る。【解決手段】原稿圧板１２とコンタクトガラス１１の間隔が広い図２の状態においては、原稿Ｐ２の前方において、原稿圧板１２から下側に向かって遮光部２０が突出している。このように原稿圧板１２とコンタクトガラス１１の間隔に応じて遮光部２０の突出量を制御するために、原稿圧板１２中において、前方に第１の滑車２１、後方に第２の滑車２２がそれぞれ設けられている。第１の滑車２１、第２の滑車２２には、ワイヤー２３が架け渡されている。遮光部２０をシート状として第１の滑車２１においてワイヤー２３と逆回りに巻き回して装着すれば、第１の滑車２１の回動に伴って、遮光部２０は第１の滑車２１から引き出される。【選択図】図２
2019208146.tif 000002
【特許請求の範囲】
【請求項１】
上面にコンタクトガラスが設けられ、当該コンタクトガラス上に載置された原稿に前記コンタクトガラスを通して下側から照明光を照射し前記原稿を下側から撮像して前記原稿に形成された画像を読み取る画像取得部が内部に設けられた本体と、
前記上面の上で後方側に設けられた回動軸の周りで鉛直方向で回動可能とされて前記本体に装着され、前記コンタクトガラス上に載置された前記原稿を下側に押圧する原稿圧板と、
を具備する画像読取装置であって、
前記回動軸は、前記本体に対して上下方向で移動可能とされ、
前記原稿圧板が前記コンタクトガラス上に載置された前記原稿を下側に押圧する際に、後方側における前記原稿圧板と前記上面との間の上下方向の間隔が大きくなるに従い、前記原稿圧板から下方に向かって突出することにより水平方向に漏れる前記照明光を遮る遮光部を具備することを特徴とする画像読取装置。
【請求項２】
前記遮光部は、前記原稿圧板が前記コンタクトガラス上に載置された前記原稿を下側に押圧する際における前記原稿の前方に設けられたことを特徴とする請求項１に記載の画像読取装置。
【請求項３】
前記原稿圧板に設けられた第１の滑車と、
一端が前記本体における前記回動軸よりも後方側に固定され、他端が前記第１の滑車に装着されたワイヤーと、
を具備し、
前記遮光部は、前記ワイヤーが前記第１の滑車から見て前記一端側に引かれた際に前記第１の滑車が回動することによって前記原稿圧板から突出するように、前記第１の滑車に装着されたことを特徴とする請求項１又は２に記載の画像読取装置。
【請求項４】
前記原稿圧板において、前記他端と前記一端との間における前記ワイヤーが架け渡された第２の滑車が設けられたことを特徴とする請求項３に記載の画像読取装置。
【請求項５】
前記遮光部は、前記第１の滑車に巻き回されたシート状の部分を具備することを特徴とする請求項３又は４に記載の画像読取装置。
【請求項６】
前記間隔が小さい場合に、前記シート状の部分が前記第２の滑車に巻き取られることを特徴とする請求項５に記載の画像読取装置。
【発明の詳細な説明】
【技術分野】
【０００１】
本発明は、原稿から光学的に画像を読み取る画像読取装置に関する。
【背景技術】
【０００２】
画像が形成された原稿から、この画像を光学的に読み込んで画像データを得る画像読取装置においては、装置の上面側に設けられた透明なコンタクトガラスの上に、画像が読み取られる側の面（表面）を下側にして原稿が載置され、透明なコンタクトガラスを通して下側から照明光が照射されると共に、この画像が撮像素子によって下側から読み取られる。この際に、適正に画像を読み取るためには、原稿が下側のコンタクトガラスに密着した状態を維持する必要があるため、コンタクトガラス上に載置された原稿を上側から押圧する原稿圧板が用いられる。
【０００３】
また、こうした画像読取装置においては、複数の頁からなる原稿を順次上記の状態となるように搬送して載置し、各頁の画像を読み取るための原稿送り装置が設けられる場合もある。この場合、原稿送り装置は載置される原稿の上側に位置するために、原稿送り装置が上記の原稿圧板を兼ねる構成とされる。ここで、原稿送り装置を用いて読み込まれる原稿の各々は１枚の用紙で構成されるため、その厚さは１ｍｍよりも大幅に薄い。この場合には、原稿の載置時における原稿送り装置（原稿圧板）とコンタクトガラスの間隔は、この用紙の厚さに応じて狭くなる。
【０００４】
一方、例えば文献におけるある１頁を読み込む場合には、文献を頁毎に分解しない限り、この原稿送り装置を用いて読み込むことができない。このため、ユーザーは、読み込む対象となる頁を下側にした状態で、直接この文献をコンタクトガラスの上に載置した上で、上記の読み込み動作を行わせることが必要となる。この場合には、原稿圧板とコンタクトガラスの間隔は、この文献の厚さ程度と広くなり、１ｃｍ以上となる場合もある。
【０００５】
また、通常、原稿送り装置（原稿圧板）は、上面側に上記のコンタクトガラスを具備する画像読取装置の本体に対して鉛直方向で回動可能とされて装着される。こうした場合において上記のような様々な厚さの原稿をコンタクトガラスに密着させることができるような構造は、特許文献１等に記載されている。図５は、こうした構造の一例を、その典型的な３つの状態に応じて単純化して示す図である。この画像読取装置２では、画像読取装置２における本体９０の上面９０Ａに、水平面内に広がる表面を具備するコンタクトガラス９１が設けられ、その上側に原稿圧板９２が設けられる。原稿圧板９２は、その後方（図中右側）において紙面垂直方向に沿った回動軸９２Ａの周りで鉛直方向で回動可能とされる。回動軸９２Ａは上面９０Ａよりも上側に設けられるため、回動軸９２Ａは本体９０の上側に突出するように本体９０に装着された支持部９３中に設けられ、原稿圧板９２はこの支持部９３を介して、本体９０に装着される。支持部９３は、本体９０（上面９０Ａ）に対して上下方向に移動可能とされる。
【０００６】
図５（ａ）においては、原稿圧板９２を上側に回動させた（開いた）状態が示されている。この場合、ユーザーは、前方（図中左側）に位置し、図５（ａ）の状態において、露出したコンタクトガラス９１の上に原稿を載置することができ、その後に原稿圧板９２を図中反時計回りに回動させて、原稿圧板９２を閉じた状態とすることができる。図５（ｂ）は、薄い原稿Ｐ１（例えば１枚の用紙）を載置してから原稿圧板９２を閉じた状態を示す。前記のような、原稿送り装置を用いた場合には、自動的にこの状態が実現されるような構成とされる。この構成により、原稿Ｐ１は、全面にわたり一様に原稿圧板９２によって下側に押圧される。この状態において、本体９０内部に設けられた画像取得部９５は、下側からコンタクトガラス９１を通して原稿Ｐ１を照明光Ｌで照射すると共に、原稿Ｐ１を下側から撮像し、画像データを取得する。
【０００７】
一方、図５（ｃ）は、厚い原稿Ｐ２（例えば１冊の文献）を同様に載置して原稿圧板９２を閉じた状態を示す。この場合には、図５（ｂ）の状態よりも支持部９３が上側に移動することにより、回動軸９２Ａが上側に移動する。これによって、図５（ｂ）の状態と比べて、原稿圧板９２が上側に平行移動した状態となるため、図５（ｃ）の状態においても、厚い原稿Ｐ２は、図５（ｂ）の場合と同様に、全面にわたり一様に原稿圧板９２によって下側に押圧される。これによって、画像取得部９５は、図５（ｂ）の場合と同様に、原稿Ｐ２を下側から照明光Ｌで照射し、原稿Ｐ２の画像を読み取ることができる。この場合には、前記のような原稿送り装置を用いる場合とは異なり、ユーザーが前方から原稿Ｐ２をコンタクトガラス９１上に載置し、原稿圧板９２を上側から押さえ付けた状態でこの動作を行わせることもできる。すなわち、こうした構造により、原稿の厚さに関わらず、原稿圧板９２によって原稿を全面にわたり一様にコンタクトガラス９１に密着させることができ、原稿の厚さによらず、画像取得部９５が画像を適正に読み取ることができる。
【先行技術文献】
【特許文献】
【０００８】
【特許文献１】特開平５−２９７６６５号公報
【発明の概要】
【発明が解決しようとする課題】
【０００９】
図５（ｂ）（ｃ）の状態においては、原稿圧板９２とコンタクトガラス９１の上下方向における間隔は、それぞれにおいて、載置された原稿の厚さに応じて面内方向で一様となる。ここで、特に厚い原稿Ｐ２が載置された図５（ｃ）の状態においては、この間隔は例えば１ｃｍ以上と広くなる場合もある。こうした場合には、原稿の読み取り時における下側からの照明光Ｌが、原稿圧板９２とコンタクトガラス９１の隙間から外部に漏れる場合があった。この際、特に前方（図中左側）に位置するユーザーにこの照明光Ｌが当たることにより、ユーザーが不快となる、あるいはこれによる眩しさに起因してユーザーの操作に支障をきたす場合があった。
【００１０】
このため、厚い原稿を読み取る場合でも、照明光の外部への漏れが抑制された画像読取装置が望まれた。
【００１１】
本発明はこのような状況に鑑みてなされたものであり、上記課題を解決できる技術を提供することを目的とする。
【課題を解決するための手段】
【００１２】
本発明の画像読取装置は、上面にコンタクトガラスが設けられ、当該コンタクトガラス上に載置された原稿に前記コンタクトガラスを通して下側から照明光を照射し前記原稿を下側から撮像して前記原稿に形成された画像を読み取る画像取得部が内部に設けられた本体と、前記上面の上で後方側に設けられた回動軸の周りで鉛直方向で回動可能とされて前記本体に装着され、前記コンタクトガラス上に載置された前記原稿を下側に押圧する原稿圧板と、を具備する画像読取装置であって、前記回動軸は、前記本体に対して上下方向で移動可能とされ、前記原稿圧板が前記コンタクトガラス上に載置された前記原稿を下側に押圧する際に、後方側における前記原稿圧板と前記上面との間の上下方向の間隔が大きくなるに従い、前記原稿圧板から下方に向かって突出することにより水平方向に漏れる前記照明光を遮る遮光部を具備することを特徴とする。
【発明の効果】
【００１３】
上記の構成により、厚い原稿を読み取る場合でも、照明光の外部への漏れが抑制された画像読取装置を得ることができる。
【図面の簡単な説明】
【００１４】
【図１】本発明の実施の形態に係る画像読取装置の第１の状態における構成を示す図である。
【図２】本発明の実施の形態に係る画像読取装置の第２の状態における構成を示す図である。
【図３】本発明の実施の形態に係る画像読取装置の第３の状態における構成を示す図である。
【図４】本発明の実施の形態に係る画像読取装置の第４の状態における構成を示す図である。
【図５】従来の画像読取装置の３つの状態における構成を示す図である。
【発明を実施するための形態】
【００１５】
以下、本発明を実施するための形態について図面を参照して説明する。図１は、本発明の実施の形態に係る画像読取装置１の全体の構成を簡略化して示す図であり、ここでは、薄い原稿Ｐ１が読み取られる際（第１の状態）における状況が、図５（ｂ）に対応して示されている。
【００１６】
この画像読取装置１においては、図５の画像読取装置２と同様に、本体１０、上面１０Ａ、コンタクトガラス１１、原稿圧板１２、回動軸１２Ａ、支持部１３、画像取得部１５が設けられる。これらの各々の機能は前記の画像読取装置２におけるものと同様であり、支持部１３が本体１０に対して上下方向に移動可能とされる点についても同様である。このため、図１の状態における原稿圧板１２、原稿Ｐ１、コンタクトガラス１１、（上面１０Ａ）の位置関係は、図５（ｂ）の状態と同様である。原稿送り装置を原稿圧板１２として用いることができることも同様である。支持部１３は、バネ等（図示せず）、あるいは原稿圧板１２の自重によって下側に付勢されている。
【００１７】
一方、図２は、この画像読取装置１において厚い原稿Ｐ２が読み取られる際（第２の状態）における状況が、図５（ｃ）に対応して示されている。この場合においても、原稿圧板１２、原稿Ｐ、コンタクトガラス１１（上面１０Ａ）の位置関係は、図５（ｃ）の状態と同様である。このため、この画像読取装置１においては、原稿の厚さによらず、原稿は原稿圧板１１によって一様にコンタクトガラス１１側に押圧され、これによって、画像取得部１５を用いて原稿の画像を適正に読み取ることができる。
【００１８】
ここで、原稿圧板１２とコンタクトガラス１１の間隔が広い図２の状態においては、原稿Ｐ２の前方（図中左側）において、原稿圧板１２から下側に向かって遮光部２０が突出している。遮光部２０は、光を透過させない薄いシート状の物質（例えば樹脂材料）で構成されており、図中の紙面垂直方向に延伸している。図２の状態においては、遮光部２０によって照明光Ｌが前方に漏れることが抑制される。
【００１９】
一方、原稿圧板１２とコンタクトガラス１１の間隔が狭い図１の状態においては、遮光部２０は、原稿圧板１２から下側に突出しない。このため、例えば遮光部２０が原稿圧板１２とコンタクトガラス１１の間に挟まるために原稿Ｐ１と原稿圧板１２とが密着しない状態となることは防止される。
【００２０】
この画像読取装置１においては、このように原稿圧板１２とコンタクトガラス１１の間隔に応じて遮光部２０の突出量を制御するために、原稿圧板１２中において、前方（図中左側）に第１の滑車２１、後方（図中右側）に第２の滑車２２がそれぞれ設けられている。第１の滑車２１、第２の滑車２２は、それぞれ紙面垂直方向に沿った回転軸２１Ａ、２２Ａの周りで回転可能とされる。第１の滑車２１、第２の滑車２２には、ワイヤー２３が架け渡されている。ワイヤー２３の後方側（図中右側）の端部（一端）は、本体１０の上部における回動軸１２Ａよりも後方のワイヤー固定部１０Ｂに固定されており、ワイヤー２３の前方側（図中左側）の端部（他端）は、巻き回された上で第１の滑車２１に固定されている。第２の滑車２２には、ワイヤー固定部１０Ｂと第１の滑車２１の間におけるワイヤー２３が掛け渡されている。また、第１の滑車２１は、図における反時計回りにバネ（図示せず）等により付勢されている。
【００２１】
この構成により、特にワイヤー固定部１０Ｂが設けられた本体１０の後部付近における原稿圧板１２と上面１０Ａとの間の間隔が変動すると、第１の滑車２１が回動し、この際の動作を、第２の滑車２２を設けたことによって円滑に行わせることができる。後方における原稿圧板１２とコンタクトガラス１１の間隔が広い図２の状態においては、この間隔が狭い図１の状態と比べると、第１の滑車２１から見て、ワイヤー２３はワイヤー固定部１０Ｂ側（一端側）に引かれる状態となる。これにより、第１の滑車２１、第２の滑車２２は、図１の状態と比べると、共に図中点線矢印で示されるように時計回りに回動する。遮光部２０をシート状として第１の滑車２１においてワイヤー２３と逆回りに巻き回して装着すれば、第１の滑車２１のこの回動に伴って、遮光部２０は第１の滑車２１から引き出される。このため、図１の状態では遮光部２０を原稿圧板１２から突出させず、図２の状態で遮光部２０を原稿圧板１２から突出させることができる。このように、遮光部２０の原稿圧板１２からの突出量は、後方における原稿圧板１２とコンタクトガラス１１の間隔によって制御される。
【００２２】
また、図３は、この画像読取装置１において原稿圧板１２を開いた状態（第３の状態）を図５（ａ）に対応させて示す図である。ワイヤー固定部１０Ｂが回動軸１２Ａよりも後方にあれば、このように原稿圧板１２が開いた状態では、図２の状態とは逆に、ワイヤー２３は弛む。第１の滑車２１が反時計回り（遮光部２０を突出させない側）に付勢されていれば、少なくともこの状態では遮光部２０が原稿圧板１２から突出することはない。すなわち、薄い原稿Ｐ１が載置されて原稿圧板１２が閉じた図１の場合、原稿圧板１２が開いた図３の場合においては遮光部２０は原稿圧板１２から突出しない。このため、薄い原稿Ｐ１が載置された場合に遮光部２０が障害となる、例えば遮光部２０が原稿圧板１２とコンタクトガラス１１の間に挟まることは、抑制される。
【００２３】
また、図４は、図３の状態から厚い原稿Ｐ２をコンタクトガラス１１の上に載置して原稿圧板１２を閉じる途中の状況（図２の状態に至る途中の状況：第４の状態）を示す図である。この場合においても、図１、図３の状況と同様に、後方における原稿圧板１２とコンタクトガラス１１の間隔は狭いため、図３の場合と同様に、遮光部２０が原稿圧板１２から突出しない状況が維持される。その後に、図４の状態からユーザーが原稿圧板１２を更に閉じるように力を加えることにより、原稿圧板１２の後端側が浮き上がり、図２の形態となる。このため、厚い原稿Ｐ２をコンタクトガラス１１の上に載置してから原稿圧板１２を閉じる際には、最終的に図２の形態となる直前まで遮光部２０が原稿圧板１２から突出しない状態が維持される。このため、遮光部２０が作業の障害となることはない。
【００２４】
この画像読取装置１において用いられる原稿圧板１２には、従来の画像読取装置２における原稿圧板９２と比べて、第１の滑車２１、第２の滑車２２、ワイヤー２３、遮光部２０が追加されて設けられる。ここで、第１の滑車２１、第２の滑車２２、ワイヤー２３は、いずれも原稿圧板１２中で大きな体積を占めることはない。遮光部２０は、十分な遮光効果を得るためには、大きな面積のものが必要となるが、上記の構成においては、前記の通り、シート状の遮光部２０が第１の滑車２１に巻き回されて装着され、突出時にはその一部が原稿圧板１２から下側に突出する。このため、遮光部２０も原稿圧板１２中で大きな体積を占めることはない。前記の通り、原稿送り装置を原稿圧板１２として用いることができるが、この場合においても、第１の滑車２１、第２の滑車２２、ワイヤー２３、遮光部２０を原稿送り装置に容易に設けることができる。また、これらはいずれも安価な部品で構成されるため、この画像読取装置１を安価に得ることができる。
【００２５】
また、上記の構成においては、本体１０の後方側においてワイヤー２３が露出するが、ユーザーがこの画像読取装置１において通常の作業を行う場合には、前記の通り、ユーザーは前方に位置する。このため、ワイヤー２３がユーザーの作業の障害になることはない。
【００２６】
なお、上記の例においては、遮光部２０の突出量を制御するために、上記のように第１の滑車２１、第２の滑車２２、ワイヤー２３が用いられたが、後方側における原稿圧板と本体の上面との間の間隔に応じて遮光部の原稿圧板からの突出量が調整できる限りにおいて、他の構造を採用することもできる。例えば、上記のように２つの滑車（第１の滑車、第２の滑車）を用いずに、単一の滑車（第１の滑車）のみを用いて同様の機能を実現することもできる。この場合においても、ロール等に巻き回されて収容されたシート状の遮光部が用いられ、ロールが回転することによって遮光部が原稿圧板から突出する構成が、上記のように装置の小型化の観点から好ましい。ただし、このように遮光部全体がこのようなシート状である必要はなく、このようなシート状の部分を一部に有していてもよい。
【００２７】
また、上記の例においては、図１等に示された構造の支持部１３が用いられたが、原稿圧板の回動軸が本体（上面）に対して上下方向で移動可能となる限りにおいて、原稿圧板を本体に装着するための構造は任意である。この場合においても、この回動軸に近い側における原稿圧板と上面との間の間隔に応じて、上記のように遮光部の突出量を制御することができる。
【００２８】
また、上記の例では、遮光部２０が前方側においてのみ設けられたが、遮光部をどの側に設けることもでき、これによって、この側から照明光が外部に漏れることを抑制することができる。
【符号の説明】
【００２９】
１、２  画像読取装置
１０、９０  本体
１０Ａ、９０Ａ  上面
１０Ｂ  ワイヤー固定部
１１、９１  コンタクトガラス
１２、９２  原稿圧板
１２Ａ、９２Ａ  回動軸
１３、９３  支持部
１５、９５  画像取得部
２０  遮光部
２１  第１の滑車
２１Ａ、２２Ａ  回転軸
２２  第２の滑車
２３  ワイヤー
Ｌ  照明光
Ｐ１、Ｐ２  原稿
【図１】
2019208146.tif 000003
【図２】
2019208146.tif 000004
【図３】
2019208146.tif 000005
【図４】
2019208146.tif 000006
【図５】
2019208146.tif 000007